(57)【要約】  【課題】ＣＰＵにより燃焼制御と各種操作スイッチの入出力制御とを行う電池駆動式ガスコンロにおいて、消費電力の増加を抑えつつ、燃焼制御を行うＣＰＵと各種操作スイッチとの間の配線の簡素化、コスト低減を図る。  【解決手段】燃焼制御用ＣＰＵ１１を有する主制御基板１２と、燃焼制御用ＣＰＵとの間で通信を行う入出力制御用ＣＰＵ１３を有する入出力基板１４と、電源用の乾電池１５と、主制御基板１２と入出力基板１４との間で電源供給を行う電源供給線１６ａ，１６ｂとを備え、乾電池１５は主制御基板１２に接続され、入出力基板１４に対しては主制御基板１２及び電源供給線１６ａ，１６ｂを介して電源供給されるように構成する。【選択図】図１
2015183956.tif 000002
【特許請求の範囲】
【請求項１】
燃焼制御用マイクロプロセッサを有する主制御基板と、前記燃焼制御用マイクロプロセッサとの間で通信を行う入出力制御用マイクロプロセッサを有する入出力基板と、電源用の電池と、前記主制御基板と前記入出力基板との間で電源供給を行う電源供給線とを備え、前記電池は、前記主制御基板及び前記入出力基板のいずれか一方の基板に接続され、他方の基板に対しては前記一方の基板及び前記電源供給線を介して電源供給されるように構成されていることを特徴とする燃焼機器。
【請求項２】
請求項１に記載の燃焼機器において、前記一方の基板は、前記電池から前記一方の基板上の前記マイクロプロセッサへの電源供給を継続するか若しくは遮断するかを当該マイクロプロセッサからの制御信号に基づいて切換える第１の電源供給遮断回路を備えていることを特徴とする燃焼機器。
【請求項３】
請求項２に記載の燃焼機器において、前記第１の電源供給遮断回路は、前記一方の基板上の前記マイクロプロセッサへの電源供給の遮断時に前記電源供給線への電源供給も遮断することを特徴とする燃焼機器。
【請求項４】
請求項２又は３に記載の燃焼機器において、電源供給開始用スイッチをさらに備え、前記第１の電源供給遮断回路は、前記電源供給開始用スイッチが操作されたときに前記一方の基板上の前記マイクロプロセッサへの電源供給を行うように回路構成されており、当該マイクロプロセッサは、電源供給が開始されると所定の第１電源遮断条件を満たすまで電源供給を継続するための制御信号を前記第１の電源供給遮断回路に出力することを特徴とする燃焼機器。
【請求項５】
請求項１〜４のいずれか１項に記載の燃焼機器において、前記他方の基板は、前記電源供給線から前記他方の基板上の前記マイクロプロセッサへの電源供給を継続するか若しくは遮断するかを当該マイクロプロセッサからの制御信号に基づいて切換える第２の電源供給遮断回路を備えていることを特徴とする燃焼機器。
【請求項６】
請求項５に記載の燃焼機器において、開閉操作可能な操作パネルと、該操作パネルの開閉状態を検出する開閉状態検出スイッチとをさらに備え、前記一方の基板は主制御基板であり、前記他方の基板は入出力基板であり、前記第２の電源供給遮断回路は、前記操作パネルが開かれたときに前記入出力制御用マイクロプロセッサへの電源供給を行うように回路構成されており、当該入出力制御用マイクロプロセッサは、電源供給が開始されると所定の第２電源遮断条件を満たすまで電源供給を継続するための制御信号を前記第２の電源供給遮断回路に出力することを特徴とする燃焼機器。
【請求項７】
請求項１〜６のいずれか１項に記載の燃焼機器からなる電池駆動式ガスコンロ。
【発明の詳細な説明】
【技術分野】
【０００１】
本発明は、電池駆動式ガスコンロなどの電池を電源として動作する燃焼機器に関する。
【背景技術】
【０００２】
この種従来の電池駆動式ガスコンロとして、例えば下記の特許文献１に開示されたものが知られている。この従来の電池駆動式ガスコンロは、燃焼動作を制御するマイコン制御回路を有する電装基板を備えている。マイコン制御回路には、電池ボックスに格納された乾電池の電圧を電装基板上の各種回路に供給する電源回路と、各種操作スイッチからそれぞれ出力されるオンオフ信号を入力するスイッチ入力回路と、操作パネルとの間で通信する操作パネル通信回路と、イグナイタを駆動させるイグナイタ回路と、流量調整部の流量調整弁の駆動を制御するための流量調整弁回路と、安全弁の駆動を制御するための安全弁回路とが各々接続されている。また、マイコン制御回路は、各種アナログ信号入力用の複数のアナログ入力ポートが設けられており、各アナログ入力ポートに、熱電対入力回路や、サーミスタなどのアナログ信号入力回路が接続されている。
【０００３】
このように、従来の電池駆動式ガスコンロでは、一つの電装基板上に一つのマイコン制御回路が設けられ、このマイコン制御回路によって燃焼動作の制御を行うとともに各種入出力制御を行っていた。
【先行技術文献】
【特許文献】
【０００４】
【特許文献１】特開２０１１−３８６９６号公報
【発明の概要】
【発明が解決しようとする課題】
【０００５】
近年、各種調理モードの実装などガスコンロの多機能化に伴い、操作パネルに実装される各種操作スイッチの数が増加傾向にあり、これに伴い入力ポートの数の多いマイクロプロセッサが必要となっているが、このような多ピンマイコンはコスト増の要因となる。また、操作パネルとマイコン制御回路との間の配線数も操作スイッチの数に応じて増大し、接続のためのコネクタも大きくなり、これによりコスト増を招くとともに製造時の配線作業が煩雑となっていた。
【０００６】
一方、上記電装基板とは別に、操作パネル内に入出力制御用のマイコンを実装して、電装基板上のマイコンとの間で通信させることにより上記課題を解決できるが、入出力制御用のマイコンの追加により消費電力が増大して電池の消耗が早くなってしまうという問題点がある。
【０００７】
そこで、本発明は、燃焼制御用マイクロプロセッサと多数の操作スイッチとの間の配線を簡素化することにより、製造時の作業効率を向上するとともにコスト低減を図ることを第１の目的とする。さらに、本発明は、マイクロプロセッサへの電力供給を不要時に遮断することにより消費電力を可及的に低減できるようにすることを第２の目的とする。
【課題を解決するための手段】
【０００８】
上記目的を達成するために、本発明は、次の技術的手段を講じた。
【０００９】
すなわち、本発明の燃焼機器は、燃焼制御用マイクロプロセッサを有する主制御基板と、前記燃焼制御用マイクロプロセッサとの間で通信を行う入出力制御用マイクロプロセッサを有する入出力基板と、電源用の電池と、前記主制御基板と前記入出力基板との間で電源供給を行う電源供給線とを備え、前記電池は、前記主制御基板及び前記入出力基板のいずれか一方の基板に接続され、他方の基板に対しては前記一方の基板及び前記電源供給線を介して電源供給されるように構成されていることを特徴とするものである（請求項１）。
【００１０】
かかる本発明の燃焼機器によれば、入出力制御用マイクロプロセッサを有する入出力基板を、燃焼制御用マイクロプロセッサを有する主制御基板とは別に設けて、両プロセッサ間で通信を行わせるようにしたので、多数の操作スイッチを有する操作部を入出力基板上に実装してダイナミックスキャン方式などによる多数の操作スイッチの操作検知を入出力制御用マイクロプロセッサにより行い、検知した操作内容をデジタルデータとして燃焼制御用マイクロプロセッサに通信（例えば、シリアル通信など）により送信することができ、操作スイッチの数が増大しても通信用のポートを燃焼制御用マイクロプロセッサに確保できれば操作内容を燃焼制御用マイクロプロセッサに送信して操作内容に応じた燃焼制御を行わせることができるため、燃焼制御用マイクロプロセッサと多数の操作スイッチとの間の配線が簡素化され、製造時の配線作業が簡略化されるとともに、配線コネクタも小型かすることができ、製造コストを低減できる。また、電源用電池を一方の基板に接続し、両基板に接続された電源供給線を介して他方の基板に対して電源供給を行うので、各基板用に個別に電池を設ける必要がなく、共通の電池によって両基板上のマイクロプロセッサを駆動させることができるとともに、他方の基板への電源供給を行うか否かの制御を一方の基板によって行わせるような回路設計を行うことも可能となる。
【００１１】
上記本発明の燃焼機器において、前記一方の基板は、前記電池から前記一方の基板上の前記マイクロプロセッサへの電源供給を継続するか若しくは遮断するかを当該マイクロプロセッサからの制御信号に基づいて切換える第１の電源供給遮断回路を備えることができる（請求項２）。これによれば、所定の遮断条件（例えば、燃焼制御中若しくは周辺に人がいることを検出しておらず且つ所定時間以上未操作であることなど）を満たすか否かを当該マイクロプロセッサにより判断して、遮断条件を満たすと第１の電源供給遮断回路へ出力する制御信号を自己への電源供給を遮断させるもの（例えばＬｏｗ出力信号）とすることにより、不要時に一方の基板上のマイクロプロセッサへの電源供給を遮断して消費電力を低減させることができる。
【００１２】
さらに、上記本発明の燃焼機器において、前記第１の電源供給遮断回路は、前記一方の基板上の前記マイクロプロセッサへの電源供給の遮断時に前記電源供給線への電源供給も遮断するものであってよい（請求項３）。これによれば、第１の電源供給遮断回路による電源供給の遮断時に、電源供給線を介した他方の基板上のマイクロプロセッサへの電源供給をも遮断させることができ、より一層の消費電力の低減を図ることができ、電池寿命を延ばすことができる。
【００１３】
さらに、上記本発明の燃焼機器において、電源供給開始用スイッチをさらに備え、前記第１の電源供給遮断回路は、前記電源供給開始用スイッチが操作されたときに前記一方の基板上の前記マイクロプロセッサへの電源供給を行うように回路構成されており、当該マイクロプロセッサは、電源供給が開始されると所定の第１電源遮断条件を満たすまで電源供給を継続するための制御信号を前記第１の電源供給遮断回路に出力するものとすることができる（請求項４）。これによれば、第１の電源供給遮断回路による電源供給が遮断されているときに、電源供給開始用スイッチを操作することによって一方の基板上のマイクロプロセッサへの電源供給を再開させることが可能となる。そして、当該マイクロプロセッサが起動直後から電源供給を継続させるための制御信号（例えば、Ｈｉｇｈ出力信号）を第１の電源供給遮断回路に出力することによって、電源供給開始用スイッチの操作を終了しても電源供給を継続させることが可能となる。なお、上記電源供給開始用スイッチは、いわゆる電源スイッチ（電源入／切専用スイッチ）を通常採用できるが、器具栓やその他の各種操作スイッチを電源供給開始用スイッチとしても機能させることも可能である。
【００１４】
また、前記他方の基板は、前記電源供給線から前記他方の基板上の前記マイクロプロセッサへの電源供給を継続するか若しくは遮断するかを当該マイクロプロセッサからの制御信号に基づいて切換える第２の電源供給遮断回路を備えることができる（請求項５）。これによれば、所定の遮断条件を満たすか否かを当該マイクロプロセッサにより判断して、遮断条件を満たすと第２の電源供給遮断回路へ出力する制御信号を自己への電源供給を遮断させるもの（例えばＬｏｗ出力信号）とすることにより、不要時に他方の基板上のマイクロプロセッサへの電源供給のみを遮断して消費電力を低減させることができる。
【００１５】
また、開閉操作可能な操作パネルと、該操作パネルの開閉状態を検出する開閉状態検出スイッチとをさらに備え、前記一方の基板は主制御基板であり、前記他方の基板は入出力基板であり、前記第２の電源供給遮断回路は、前記操作パネルが開かれたときに前記入出力制御用マイクロプロセッサへの電源供給を行うように回路構成されており、当該入出力制御用マイクロプロセッサは、電源供給が開始されると所定の第２電源遮断条件を満たすまで電源供給を継続するための制御信号を前記第２の電源供給遮断回路に出力するものとすることができる（請求項６）。これによれば、第２の電源供給遮断回路による電源供給が遮断されているときに、操作パネルを開くことによって入出力制御基板上のマイクロプロセッサへの電源供給を再開させることが可能となる。そして、当該入出力制御基板上の入出力制御用マイクロプロセッサが起動直後から電源供給を継続させるための制御信号（例えば、Ｈｉｇｈ出力信号）を第２の電源供給遮断回路に出力することによって、操作パネルを閉じても電源供給を継続させることが可能となり、例えば、所定の燃焼制御モードの実行中には操作パネルを閉じても入出力制御用マイクロプロセッサへの電源供給を継続させることができる。
【００１６】
本発明の燃焼機器は、電池駆動式の各種燃焼機器、例えば給湯器や暖房機器や各種調理機器などに適用できるが、各種操作スイッチを有する電池駆動式ガスコンロに好適に適用できる（請求項７）。
【発明の効果】
【００１７】
以上説明したように、本発明の請求項１に係る燃焼機器によれば、入出力制御用マイクロプロセッサを有する入出力基板を、燃焼制御用マイクロプロセッサを有する主制御基板とは別に設けて、両プロセッサ間で通信を行わせるようにしたので、多数の操作スイッチを有する操作部を入出力基板上に実装してダイナミックスキャン方式などによる多数の操作スイッチの操作検知を入出力制御用マイクロプロセッサにより行い、検知した操作内容をデジタルデータとして燃焼制御用マイクロプロセッサに通信（例えば、シリアル通信など）により送信することができ、操作スイッチの数が増大しても通信用のポートを燃焼制御用マイクロプロセッサに確保できれば操作内容を燃焼制御用マイクロプロセッサに送信して操作内容に応じた燃焼制御を行わせることができるため、燃焼制御用マイクロプロセッサと多数の操作スイッチとの間の配線が簡素化され、製造時の配線作業が簡略化されるとともに、配線コネクタも小型かすることができ、製造コストを低減できる。また、電源用電池を一方の基板に接続し、両基板に接続された電源供給線を介して他方の基板に対して電源供給を行うので、各基板用に個別に電池を設ける必要がなく、共通の電池によって両基板上のマイクロプロセッサを駆動させることができるとともに、他方の基板への電源供給を行うか否かの制御を一方の基板によって行わせるような回路設計を行うことも可能となる。
【００１８】
また、本発明の請求項２に係る燃焼機器によれば、所定の遮断条件（例えば、燃焼制御中若しくは周辺に人がいることを検出しておらず且つ所定時間以上未操作であることなど）を満たすか否かを当該マイクロプロセッサにより判断して、遮断条件を満たすと第１の電源供給遮断回路へ出力する制御信号を自己への電源供給を遮断させるもの（例えばＬｏｗ出力信号）とすることにより、不要時に一方の基板上のマイクロプロセッサへの電源供給を遮断して消費電力を低減させることができる。
【００１９】
また、本発明の請求項３に係る燃焼機器によれば、第１の電源供給遮断回路による電源供給の遮断時に、電源供給線を介した他方の基板上のマイクロプロセッサへの電源供給をも遮断させることができ、より一層の消費電力の低減を図ることができ、電池寿命を延ばすことができる。
【００２０】
また、本発明の請求項４に係る燃焼機器によれば、第１の電源供給遮断回路による電源供給が遮断されているときに、電源供給開始用スイッチを操作することによって一方の基板上のマイクロプロセッサへの電源供給を再開させることが可能となる。そして、当該マイクロプロセッサが起動直後から電源供給を継続させるための制御信号（例えば、Ｈｉｇｈ出力信号）を第１の電源供給遮断回路に出力することによって、電源供給開始用スイッチの操作を終了しても電源供給を継続させることが可能となる。
【００２１】
また、本発明の請求項５に係る燃焼機器によれば、所定の遮断条件を満たすか否かを当該マイクロプロセッサにより判断して、遮断条件を満たすと第２の電源供給遮断回路へ出力する制御信号を自己への電源供給を遮断させるもの（例えばＬｏｗ出力信号）とすることにより、不要時に他方の基板上のマイクロプロセッサへの電源供給のみを遮断して消費電力を低減させることができる。
【００２２】
また、本発明の請求項６に係る燃焼機器によれば、第２の電源供給遮断回路による電源供給が遮断されているときに、操作パネルを開くことによって入出力制御基板上のマイクロプロセッサへの電源供給を再開させることが可能となる。そして、当該入出力制御基板上の入出力制御用マイクロプロセッサが起動直後から電源供給を継続させるための制御信号（例えば、Ｈｉｇｈ出力信号）を第２の電源供給遮断回路に出力することによって、操作パネルを閉じても電源供給を継続させることが可能となり、例えば、所定の燃焼制御モードの実行中には操作パネルを閉じても入出力制御用マイクロプロセッサへの電源供給を継続させることができる。
【図面の簡単な説明】
【００２３】
【図１】本発明の第１の実施形態に係る電池駆動式ガスコンロ（燃焼機器）の制御部への電源供給回路を説明するための概略回路図である。
【図２】同ガスコンロの外観斜視図である。
【図３】本発明の第２の実施形態に係る電池駆動式ガスコンロ（燃焼機器）の制御部への電源供給回路を説明するための概略回路図である。
【図４】本発明の第３の実施形態に係る電池駆動式ガスコンロ（燃焼機器）の制御部への電源供給回路を説明するための概略回路図である。
【図５】本発明の第４の実施形態に係る電池駆動式ガスコンロ（燃焼機器）の制御部への電源供給回路を説明するための概略回路図である。
【発明を実施するための形態】
【００２４】
以下、本発明の好適な実施形態を図面に基づいて説明する。
【００２５】
図１及び図２は本発明の第１の実施形態に係る電池駆動式ガスコンロ１（燃焼機器）を示しており、図２に示すように、このガスコンロ１は、３つのコンロバーナ２，３，４、及び、グリルバーナ（図示せず）を備えるグリル部６を備えたビルトインタイプのガスコンロにて構成されており、３つのコンロバーナ２，３，４は、標準バーナ２と、小バーナ３と、高火力バーナ４とによって構成されている。
【００２６】
ガスコンロ上面はガラス製のトッププレート５で覆われており、また、トッププレート５の後方には、グリル部６からの排気を行うグリル排気口７が形成されている。
【００２７】
ガスコンロ前側面には、電源スイッチ８（電源供給開始用スイッチ）、各コンロバーナ２，３，４のそれぞれに対応する器具栓２Ａ，３Ａ，４Ａ、各コンロバーナ２，３，４における調理の設定を行うコンロバーナ用開閉式操作パネル９、及び、グリル部６におけるグリルバーナの点消火操作や調理の設定を行うグリルバーナ用開閉式操作パネル１０が設けられている。各操作パネル９，１０には各種調理モードの設定操作などを行うための多数の各種操作スイッチからなる操作部１７が設けられている。各操作スイッチは、機械接点式のスイッチであってもよく、タッチセンサ式スイッチであってもよい。各操作パネル９，１０は、それぞれカンガルーポケットの上面に配設されている。
【００２８】
ガスコンロ１には、器具栓２Ａ，３Ａ，４Ａの操作や上記各種操作スイッチの設定操作に応じてコンロバーナ２，３，４やグリルバーナの燃焼制御を行う制御部が内蔵されている。本実施形態の制御部は、図１に示すように、燃焼制御用ＣＰＵ１１（マイクロプロセッサ）を有する主制御基板１２と、燃焼制御用ＣＰＵ１１との間でシリアル通信を行う入出力制御用ＣＰＵ１３（マイクロプロセッサ）を有する入出力基板１４と、電源用の乾電池１５と、主制御基板１２と入出力基板１４との間で電源供給を行う電源供給線１６ａ，１６ｂとを備えている。乾電池１５はガスコンロ１に設けた電池ホルダー（図示せず）に着脱自在に取付けられ、この乾電池１５の正極は、電源遮断用スイッチング素子Ｑ１及び主制御基板１２上のＶｃｃライン１２ａ（電源ライン）を介して燃焼制御用ＣＰＵ１１の正側電源端子（Ｖｃｃ）に接続され、一方、乾電池１５の負極は、主制御基板１２上のＧＮＤライン１２ｂ（グラウンド）を介して燃焼制御用ＣＰＵ１１の負側電源端子（ＧＮＤ）に接続されている。なお、乾電池１５の電圧をそのままＶｃｃライン１２ａに供給してもよいが、ＤＣ／ＤＣコンバータによる安定化電源回路（図示せず）を介して電池電圧を３Ｖなどの所定電圧に変換してＶｃｃライン１２ａに供給することもできる。図示していないが、各コンロバーナ２，３，４やグリルバーナの燃焼制御のための燃料ガス流路を開閉する電磁安全弁、燃料ガス流路の開度を制御する電磁比例弁、及び、イグナイターなどの内蔵電気器具に対してもＶｃｃライン１２ａから電源供給を行うように構成されている。
【００２９】
主制御基板１２は、本実施形態のガスコンロ１の各バーナの燃焼制御を行うものであり、例えば、設定された調理モードや調理時間に応じて各バーナへ燃料ガスを供給するか否かや燃料ガスの供給量を調節するために安全弁や電磁比例弁を制御し、各バーナに対応するイグナイタの動作を制御し、その他必要な制御を行うものである。
【００３０】
入出力基板１４は各操作パネル９，１０毎に設けることができ、各操作パネル９，１０の各種操作スイッチは各入出力基板１４上に実装することができる。入出力基板１４上のＶｃｃライン１４ａは正極用電源供給線１６ａを介して主制御基板１２上のＶｃｃライン１２ａに接続され出力基板１４上のＧＮＤライン１４ｂは負極用電源供給線１６ｂを介して主制御基板１２上のＧＮＤライン１２ｂに接続され、入出力制御用ＣＰＵ１３の正側電源端子はＶｃｃライン１４ａに接続され、入出力制御用ＣＰＵ１３の負側電源端子はＧＮＤライン１４ｂに接続されており、これにより入出力制御基板１４及び入出力制御用ＣＰＵ１３に対しては乾電池１５から主制御基板１２及び電源供給線１６ａ，１６ｂを介して電源供給されるように構成されている。
【００３１】
本実施形態では、入出力基板１４上に、上記操作部１７と、液晶表示装置やＬＥＤなどからなる表示部１８とが設けられており、入出力制御用ＣＰＵ１３は、各種操作スイッチのダイナミックスキャン方式による操作検知制御を行うとともに、表示部１８の低レベル表示制御を行うように構成することができる。入出力基板１４と主制御基板１２とはシリアル通信線１９で接続されており、該シリアル通信線１９を介して燃焼制御用ＣＰＵ１１と入出力制御用ＣＰＵ１３とが互いに通信可能に構成されている。通信するデータの内容や、いずれのＣＰＵ１１，１３がそれぞれどの範囲の処理や制御を担当するかは適宜設計することができる。例えば、各操作パネル９，１０上の各種操作スイッチの操作情報をすべて入出力制御用ＣＰＵ１３から燃焼制御用ＣＰＵ１１に送信してもよく、また、調理モードやタイマー時間設定などの設定操作は入出力制御用ＣＰＵ１３のみによって行わせ、タイマー設定の確定操作がなされると設定された調理モードや時間に関するデータを入出力制御用ＣＰＵ１３から燃焼制御用ＣＰＵ１１に送信するように制御構成することもできる。また、燃焼制御用ＣＰＵ１１は、調理のための燃焼制御との関係でユーザーに報知すべき情報その他の情報を各操作パネル９，１０に表示させるための表示指令データを入出力制御用ＣＰＵ１３に送出するように構成し、表示指令データを受信した入出力制御用ＣＰＵ１３が指令内容に応じて表示部の表示制御を行うように構成することもできる。
【００３２】
また、本実施形態では、主制御基板１２は、乾電池１５から燃焼制御用ＣＰＵ１１への電源供給を継続するか若しくは遮断するかを当該燃焼制御用ＣＰＵ１１からの制御信号に基づいて切換える第１の電源供給遮断回路２０を備えている。該電源供給遮断回路２０は、燃焼制御用ＣＰＵ１１から出力される制御信号がＨｉｇｈ出力である間は上記電源遮断用スイッチング素子Ｑ１をオンさせることにより乾電池１５からＶｃｃライン１２ａへの電源供給を継続する一方、制御信号がＬｏｗ出力に切り替わると電源遮断用スイッチング素子Ｑ１をオフさせることにより乾電池１５からＶｃｃライン１２ａへの電源供給を遮断するように構成されている。より詳細には、上記スイッチング素子Ｑ１はｐｎｐ型バイポーラトランジスタからなり、そのエミッタが乾電池１５の正極に接続され、コレクタがＶｃｃライン１２に接続され、ベースが負荷抵抗及びｎｐｎ型バイポーラトランジスタからなる切換制御用スイッチング素子Ｑ２を介してＧＮＤライン１２ｂに接続されている。該スイッチング素子Ｑ２のベースは燃焼制御用ＣＰＵ１１の上記制御信号の出力ポートに接続され、スイッチング素子Ｑ２のコレクタがスイッチング素子Ｑ１のベースに接続され、スイッチング素子Ｑ２のエミッタがＧＮＤライン１２ｂに接続されている。したがって、上記制御信号がＨｉｇｈ出力中はスイッチング素子Ｑ２がオンして電源遮断用スイッチング素子Ｑ１のベースがＧＮＤライン１２ｂに導通して、該スイッチング素子Ｑ１のコレクタから電源供給される。一方、上記制御信号がＬｏｗ出力になると、スイッチング素子Ｑ２がオフして電源遮断用スイッチング素子Ｑ１もオフされて、該スイッチング素子Ｑ１により電源供給が遮断される。
【００３３】
また、電源遮断用スイッチング素子Ｑ１のベースとＧＮＤライン１２ｂとの間には、切換制御用スイッチング素子Ｑ２と並列に起動用スイッチング素子Ｑ３が設けられている。該スイッチング素子Ｑ３もｐｎｐ型バイポーラトランジスタからなり、そのベースと乾電池１５の正極との間に上記電源スイッチ８が回路接続されている。したがって、Ｖｃｃライン１２ａへの電源供給遮断時、すなわち電源遮断用スイッチング素子Ｑ１のオフ時に電源スイッチ８を操作すると、起動用スイッチング素子Ｑ３及び電源遮断用スイッチング素子Ｑ１がオンしてＶｃｃライン１２ａへの電源供給が開始され、これにより燃焼制御用ＣＰＵ１１が起動する。該ＣＰＵ１１は、起動直後から電源供給遮断回路２０にＨｉｇｈ信号を制御信号として出力するように構成されており、これにより電源スイッチ８の操作を終了しても電源供給が継続されるようになっている。
【００３４】
電源供給遮断回路２０への制御信号をＬｏｗ出力に切換えるための第１の電源遮断条件は適宜のものであってよいが、例えば、いずれのバーナの燃焼制御中ではなく、いずれの調理モードの実行中（タイマー待機による未燃焼中も含む。）でもなく、且つ、所定時間以上いずれの操作スイッチの操作もなされていないこととすることができる。所定時間以上の操作スイッチの未操作の判定は、燃焼制御用ＣＰＵ１１が行ってもよく、入出力制御用ＣＰＵ１３が判定して判定結果を燃焼制御用ＣＰＵ１１に送信させることもできる。また、第１の電源遮断条件として、さらにガスコンロ１の近くに人がいないことを必要条件として付加することも可能である。なお、人の検出は、赤外線センサ等の適宜の検知手段によって検知させることが可能である。
【００３５】
本実施形態に係るガスコンロ１によれば、各種操作スイッチからなる操作部１７と表示部１８とを操作パネル９，１０内の入出力基板１４に設け、該入出力基板１４に操作部１７及び表示部１８の入出力制御を行う入出力制御用ＣＰＵ１３を実装させて、主制御基板１２上の燃焼制御用ＣＰＵ１１と通信させる構成としたので、各種操作スイッチの数が多数となっても開閉式操作パネル９，１０内の入出力基板１４と主制御基板１２との間の配線数を可及的に少なくすることができ、製造時の配線作業の簡素化及びコスト低減を図ることができる。さらに、入出力基板１４への電源供給を主制御基板１２及び電源供給線１６ａ，１６ｂを介して行い、主制御基板１２の電源供給遮断回路２０によって燃焼制御用ＣＰＵ１１及び入出力制御用ＣＰＵ１３への電源供給を一括して遮断及び再開させることができ、ガスコンロ１の未使用時の消費電力を可及的に低減させて乾電池１５の長寿命化を図りつつも、使用時には電源スイッチ８を操作することによって両ＣＰＵ１１，１３を起動させることが可能である。
【００３６】
なお、さらなる消費電力の向上を図るために、操作パネル９，１０を開いてから所定時間未操作の状態を継続するか、或いは、調理モード設定後所定時間未操作の状態を継続すると、表示部１８による表示をすべて消灯させるように入出力制御用ＣＰＵ１３により制御させることができる。表示部１８による表示を復帰させる条件は適宜のものであってよく、例えば、自動調理モード設定のための操作スイッチが操作されたときや、表示部１８によるエラー表示を行うときや、グリル燃焼開始スイッチの操作やグリルタイマー設定操作時などの必要な場合に表示を復帰させることができる。また、器具栓２Ａ，３Ａ，４Ａが操作されたときにも表示部１８の表示を復帰させることもでき、この場合、器具栓２Ａ，３Ａ，４Ａの操作に伴って安全弁入力回路から燃焼制御用ＣＰＵ１１に安全弁開信号が入力されたことを確認して表示部１８の表示を復帰させるようにすることで、安全弁が正常に開かなかったときなどに表示部１８の表示が再開されてしまうことを防止できる。
【００３７】
図３は本発明の第２実施形態に係る電池駆動式ガスコンロの制御部の概略構成を示しており、上記第１実施形態と同様の構成については同符号を付して詳細説明を省略し、異なる構成、作用効果について説明する。なお、図３においては入出力基板１４の操作部及び表示部を図示省略している。
【００３８】
本第２実施形態では、入出力基板１４にも、主制御基板１２と同様の第２の電源供給遮断回路３１が設けられており、正側電源供給線１６ａから入出力制御用ＣＰＵ１３への電源供給を継続するか若しくは遮断するかを当該入出力制御用ＣＰＵ１３からの制御信号に基づいて切換えることができるように回路構成されている。該電源供給遮断回路３１は、入出力制御用ＣＰＵ１１から出力される制御信号がＨｉｇｈ出力である間は電源遮断用スイッチング素子Ｑ１をオンさせることによりＶｃｃライン１４ａへの電源供給を継続する一方、制御信号がＬｏｗ出力に切り替わると電源遮断用スイッチング素子Ｑ１をオフさせることによりＶｃｃライン１４ａへの電源供給を遮断するように構成されている。また、開閉式操作パネル９，１０の開閉状態を検出するための近接スイッチ等からなる開閉状態検出スイッチ３２が設けられており、操作パネル９，１０を閉じているときは開閉状態検出スイッチ３２がオフされ、操作パネル９，１０を開くと開閉状態検出スイッチ３２がオンされるようになっている。この開閉状態検出スイッチ３２は、正側電源供給線１６ａと起動用スイッチング素子Ｑ３のベースとの間に接続されて、該スイッチ３２が入出力制御用ＣＰＵ１３の電源供給開始用スイッチとして機能し、燃焼制御用ＣＰＵ１１に電源供給がなされているときに操作パネル９，１０を開くと入出力制御用ＣＰＵ１３への電源供給が開始されて該ＣＰＵ１３が起動するようになっている。したがって、本実施形態によれば、操作パネル９，１０を閉じている状態では入出力制御用ＣＰＵ１３への電源供給を開始しないため、単に器具栓２Ａ，３Ａ，４Ａのみの操作によるコンロ使用を行う場合などにおける消費電力の一層の低減を図ることができる。
【００３９】
電源供給遮断回路３１への制御信号をＬｏｗ出力に切換えるための第２の電源遮断条件は適宜のものであってよく、例えば、スイッチ操作が所定時間行われなかったときや、開閉式操作パネル９，１０が閉じられたときや、燃焼制御用ＣＰＵ１１との通信が行えなくなったときや、操作パネル９，１０に設けたパネル電源オフスイッチ（図示せず）が操作されたときなどとすることができる。
【００４０】
図４は本発明の第３実施形態に係る電池駆動式ガスコンロの制御部の概略構成を示しており、上記第２実施形態と同様の構成については同符号を付して詳細説明を省略し、異なる構成、作用効果について説明する。本実施形態では、第１の電源供給遮断回路２０の上流側から引き出された電源引出ライン３３が主制御基板１２上に設けられており、該電源引出ライン３３に正側電源供給線１６ａが接続されており、これにより燃焼制御用ＣＰＵ１１への電源供給の遮断と、入出力制御用ＣＰＵ１３への電源供給の遮断とを別個独立に行えるように構成している。これによれば、入出力制御用ＣＰＵ１３によって提供される機能のみを利用したい場合、例えば、調理モードの設定内容を入出力制御用ＣＰＵ１３側で記憶保持しているときに該設定内容を確認したい場合などにおいて、燃焼制御用ＣＰＵ１１を起動させることなく入出力制御用ＣＰＵ１３のみを起動させて設定内容の確認等を行うことが可能となり、種々の利用状況に応じて消費電力の低減を図ることができる。
【００４１】
図５は本発明の第４実施形態に係る電池駆動式ガスコンロの制御部の概略構成を示しており、上記第２実施形態と同様の構成については同符号を付して詳細説明を省略し、異なる構成、作用効果について説明する。本実施形態では、主制御基板１２と入出力制御基板１４とがさらに電源制御信号線３４によって接続されており、燃焼制御用ＣＰＵ１１から出力される電源制御信号が、電源制御信号線３４を介して入出力制御基板１４の電源供給遮断回路３１の起動用スイッチング素子Ｑ３のベースに出力されている。これによれば、入出力制御用ＣＰＵ１３への電源供給を開始するか否かを燃焼制御用ＣＰＵ１１により制御することができ、燃焼制御用ＣＰＵ１１が必要と判断したときに入出力制御用ＣＰＵ１３への電源供給が遮断されていれば電源供給を開始して各種操作を促したりエラー報知を行うことができる。
【００４２】
本発明は上記実施形態に限定されるものではなく、適宜設計変更できる。例えば、電池を入出力基板側に接続し、該入出力基板及び電源供給線を介して主制御基板に電源供給を行うように回路構成することもできる。また、操作部や表示部は入出力基板とは別の操作基板や表示基板に設けることができる。また、表示部は設けられていなくてもよい。また、燃焼制御用ＣＰＵ１１と入出力制御用ＣＰＵ１３との間の通信は、パラレル通信方式により行ってもよく、また、シリアル通信データを電源供給線１６ａに重畳させることにより行うことも可能である。
【符号の説明】
【００４３】
１  電池駆動式ガスコンロ（燃焼機器）
８  電源供給用スイッチ（電源スイッチ）
９，１０  操作パネル
１１  燃焼制御用マイクロプロセッサ
１２  主制御基板
１３  入出力制御用マイクロプロセッサ
１４  入出力基板
１５  電池
１６ａ，１６ｂ  電源供給線
２０  第１の電源供給遮断回路
３１  第２の電源供給遮断回路
３２  開閉状態検出スイッチ
【図１】
2015183956.tif 000003
【図２】
2015183956.tif 000004
【図３】
2015183956.tif 000005
【図４】
2015183956.tif 000006
【図５】
2015183956.tif 000007